(57)【特許請求の範囲】
【請求項１】
外部環境の変化を検知して警報する警報器と、人を検知する人検知部と、を備え、前記人検知部が人を検知してから所定時間以内にさらに人を検知しなかったときに、前記警報器が警報する、警報システムであって、
前記警報器は、前記人検知部が検知した人の位置と前記警報器の位置との距離に応じて、前記外部環境の変化を警報する態様を変更可能に構成され、
前記警報器は、前記人検知部が検知した人の位置と前記警報器の位置との距離に応じて、前記外部環境の変化として検知される値を変更すること、または、前記外部環境の変化を所定時間以内に複数回検知したときに前記外部環境の変化を警報する設定において前記外部環境の変化を所定時間以内に検知する回数を変更することによって、前記外部環境の変化を警報するタイミングを変更可能に構成される、
警報システム。
【請求項２】
外部環境の変化を検知して警報する警報器と、人を検知する人検知部と、を備え、前記人検知部が人を検知してから所定時間以内にさらに人を検知しなかったときに、前記警報器が警報する、警報システムであって、
前記警報器は、前記人検知部が検知した人の位置と前記警報器の位置との距離に応じて、前記外部環境の変化を警報する態様を変更可能に構成され、
前記警報器は、前記外部環境の変化を複数段階で検知可能に構成され、前記外部環境の変化の各段階と、前記人検知部が検知した人の位置と前記警報器の位置との距離とに応じて、前記外部環境の変化を警報する態様またはタイミングを変更可能に構成される、
警報システム。
【請求項３】
前記警報器は、前記人検知部が所定時間人を検知し続ける場合も警報する、
請求項１または請求項２に記載の警報システム。
【発明の詳細な説明】
【技術分野】
【０００１】
本発明は、警報システムの技術に関する。
【背景技術】
【０００２】
従来、ガスまたは火災等の外部環境の変化を検知して警報する警報器を備える警報システムに関する技術は公知となっている（特許文献１参照）。
前記警報システムの警報器は、屋内の所定の場所（例えば、台所や廊下等）に固定して配置される。
【先行技術文献】
【特許文献】
【０００３】
【特許文献１】特開２００８−３３７５６号公報
【発明の概要】
【発明が解決しようとする課題】
【０００４】
しかしながら、前記警報システムでは、警報器は固定して配置されるものの、人は移動することから人と警報器との距離は一定なものになっていない。
このため、前記警報システムでは、例えば、人が警報器から遠い位置にいる場合には、警報器が外部環境の変化を検知して警報しても、人に警報器が発する警報を気付かせることができず、外部環境の変化を知らせることができない場合がある。
【０００５】
発明は以上の如き状況に鑑みてなされたものであり、外部環境の変化をより確実に知らせることができる警報システムを提供することを課題とする。
【課題を解決するための手段】
【０００６】
本発明の解決しようとする課題は以上の如くであり、次にこの課題を解決するための手段を説明する。
【０００７】
即ち、本願に開示する警報システムにおいては、外部環境の変化を検知して警報する警報器と、人を検知する人検知部と、を備え、前記人検知部が人を検知してから所定時間以内にさらに人を検知しなかったときに、前記警報器が警報する、警報システムであって、前記警報器は、前記人検知部が検知した人の位置と前記警報器の位置との距離に応じて、前記外部環境の変化を警報する態様を変更可能に構成され、前記警報器は、前記人検知部が検知した人の位置と前記警報器の位置との距離に応じて、前記外部環境の変化として検知される値を変更すること、または、前記外部環境の変化を所定時間以内に複数回検知したときに前記外部環境の変化を警報する設定において前記外部環境の変化を所定時間以内に検知する回数を変更することによって、前記外部環境の変化を警報するタイミングを変更可能に構成されるものである。
【０００８】
本願に開示する警報システムにおいては、外部環境の変化を検知して警報する警報器と、人を検知する人検知部と、を備え、前記人検知部が人を検知してから所定時間以内にさらに人を検知しなかったときに、前記警報器が警報する、警報システムであって、前記警報器は、前記人検知部が検知した人の位置と前記警報器の位置との距離に応じて、前記外部環境の変化を警報する態様を変更可能に構成され、前記警報器は、前記外部環境の変化を複数段階で検知可能に構成され、前記外部環境の変化の各段階と、前記人検知部が検知した人の位置と前記警報器の位置との距離とに応じて、前記外部環境の変化を警報する態様またはタイミングを変更可能に構成されるものである。
【０００９】
本願に開示する警報システムにおいては、前記警報器は、前記人検知部が所定時間人を検知し続ける場合も警報するものである。
【発明の効果】
【００１１】
本発明の効果として、以下に示すような効果を奏する。
即ち、本発明によれば、外部環境の変化を確実に知らせることができる。
【図面の簡単な説明】
【００１２】
【図１】本発明の実施形態に係る警報システムを示すブロック図。
【図２】同じく警報システムにおける警報器が警報する一連の動作を示すフロー図。
【図３】同じく警報システムを示す模式図。
【図４】同じく警報システムを示す模式図。
【図５】同じく警報システムを示す模式図。
【図６】同じく警報システムを示す模式図。
【図７】同じく警報システムを示すブロック図。
【図８】同じく警報システムにおける警報器が警報する一連の動作を示すフロー図。
【図９】同じく警報システムを示す模式図。
【図１０】同じく警報システムを示す模式図。
【図１１】同じく警報システムを示す模式図。
【図１２】同じく警報システムを示す模式図。
【図１３】同じく警報システムを示す模式図。
【発明を実施するための形態】
【００１３】
次に、図１から図６に記載の警報システムについて説明する。
【００１４】
図１に示すように、警報システム１は、制御部２と、警報器３と、人検知部４と、を備える。警報システム１の制御部２と警報器３と人検知部４とは、それぞれ同一屋内に配置される。
【００１５】
警報システム１の制御部２は、警報器３（人検知部４および警報器３）の各種の動作を制御する。制御部２は、記憶装置（不図示）と、時計機能（例えばリアルタイムクロック）を備える。
制御部２は、警報器３と一体的に構成される。
なお、制御部２は、警報器３と別体で構成することもでき、また、警報器３と人検知部４とは別の場所（例えば、同一屋内以外の場所）に配置することもできる。
【００１６】
警報システム１の人検知部４は、人（使用者）を検知する。人検知部４は、例えば、赤外線、超音波センサ、または、可視光センサ等からなる人感センサで構成され、屋内にいる人（人が動作している状態）を検知する。
なお、人検知部４は、ＧＰＳ（Ｇｌｏｂａｌ−Ｐｏｓｉｔｉｏｎｉｎｇ−Ｓｙｓｔｅｍ）機能によって、人を検知する構成とすることもできる。
【００１７】
警報システム１の警報器３は、センサ部５と、警報部６と、を備える。
【００１８】
警報システム１の警報器３のセンサ部５は、外部環境の変化を検知する。警報器３のセンサ部５は、ＬＰガス、都市ガス、若しくは、一酸化炭素等の被検知ガスを検出してガス漏れ等を検知するガスセンサ、または、温度若しくは煙を検出して火災を検知する火災センサ等で構成される。
【００１９】
警報システム１の警報器３の警報部６は、例えば、警報音または警報メッセージ等の音声を発することによって警報する。
警報器３の警報部６は、センサ部５が外部環境の変化を検知したときに警報する。警報器３の警報部６は、センサ部５が検出した値が予め定められた所定の値（所定の閾値）以上と制御部２が判断したときに警報する。
また、警報器３の警報部６は、人検知部４が人を検知してから所定時間以内にさらに人を検知しなかったときに、例えば、人が倒れた状態のまま動かないことと仮定して、警報する。警報器３の警報部６は、人検知部４が人を検知してから予め定められた所定時間以内にさらに人を検知しなかったと制御部２が判断したときに警報する。
また、警報器３の警報部６は、上記に加えて、人検知部４が所定時間人を検知し続ける場合も、例えば、人が倒れた状態であると仮定して、警報する構成としてもよい。また、警報部６は、人検知部４の設置場所に応じて、人検知部４が所定時間人を検知し続ける場合も警報するか否か、または、人検知部４が人を検知し続けたときに警報する際の所定時間等を設定可能に構成することもできる。
【００２０】
次に、警報システム１における警報器３が警報する一連の動作について、図２を用いて説明する。
【００２１】
図２に示すように、警報システムでは、まず、人検知部４が人を検知したか否かについて、制御部２が判断する（ステップＳ１）。
人検知部４が人を検知した、と制御部２が判断した場合、ステップＳ２に移行する。
人検知部４が人を検知していない、と制御部２が判断した場合、ステップＳ４に移行する。
【００２２】
次に、警報システム１では、制御部２が、人検知部４が人を検知したことに関する情報（人を検知した場所および検知した時間等に関する情報）を記憶装置に記憶する（ステップＳ２）。
ここで、人検知部４が人を検知したことに関する情報が既に記憶装置に記憶されている場合には、制御部２は、人検知部４が人を検知したことに関する情報を最新のものに更新して記憶装置に記憶する。
制御部２が、人検知部４が人を検知したことに関する情報を記憶装置に記憶した後、ステップＳ３に移行する。
【００２３】
次に、警報システム１では、制御部２が、ステップＳ２において記憶装置に記憶した人検知部４が人を検知したことに関する情報に基づいて、警報システム１の設定を変更する（ステップＳ３）。制御部２は、前記変更された警報システム１の設定に関する情報を記憶装置に記憶する。
警報システム１の設定を変更した後、ステップＳ４に移行する。
【００２４】
次に、警報システム１では、制御部２が、ステップＳ２において記憶装置に記憶した人検知部４が人を検知したことに関する情報に基づいて、人検知部４が直近で人を検知してから所定時間経過したか否か（人検知部４が人を検知してから所定時間以内にさらに人を検知したか否か）について判断する（ステップＳ４）。
人検知部４が直近で人を検知してから所定時間経過した、と制御部２が判断した場合、ステップＳ６に移行する。
人検知部４が直近で人を検知してから所定時間経過していない、と制御部２が判断した場合、ステップＳ５に移行する。なお、制御部２は、人検知部４が人を一度も検知していないことから記憶装置に記憶した人検知部４が人を検知したことに関する情報に基づいて前記判断を行えないような場合には、人検知部４が人を検知したことに関する情報を記憶している場合と同様に、人検知部４が直近で人を検知してから所定時間経過していない、と判断する。
【００２５】
次に、警報システム１では、警報器３（警報器３のセンサ部５）によって外部環境の変化が検知されたか否かについて、制御部２が判断する（ステップＳ５）。
警報器３によって外部環境の変化が検知された、と制御部２が判断した場合には、ステップＳ６に移行する。
警報器３によって外部環境の変化が検知されない、と制御部２が判断した場合には、ステップＳ１に移行する。
【００２６】
次に、警報システム１では、警報器３（警報器３の警報部６）が警報する動作を行う（ステップＳ６）。
警報器３が警報する動作を行った後、ステップＳ７に移行する。
【００２７】
次に、警報システム１では、警報器３が警報する動作を停止する停止条件を満たしたか否かについて、制御部２が判断する（ステップＳ７）。
ここで、警報器３が警報する動作を停止する停止条件として、警報システム１が警報停止操作部（不図示）を備え、警報器３が警報する動作を行っているときに警報停止操作部が人に操作されること、とされる。警報停止操作部は、人（使用者）に操作されることによって警報器３が警報する動作を停止するスイッチ等で構成される。なお、警報停止操作部は、警報器３の警報する動作に気付いた人が警報する動作を停止し易いことを考慮すると、警報器３と一体に構成されること、または、警報器３の近傍に配置されることが好ましい。
停止条件を満たした、と制御部２が判断した場合、ステップＳ８に移行する。
停止条件を満たしていない、と制御部２が判断した場合、ステップＳ６に移行して、警報器３が警報する動作を継続する。
【００２８】
次に、警報システム１では、警報器３が警報する動作を停止する（ステップＳ８）。
警報器３が警報する動作を停止した後、ステップＳ１に移行する。
このようにして、警報システム１では、警報器３が警報する一連の動作を行う。
【００２９】
警報システム１の警報器３（警報器３の警報部６）は、人検知部４が検知した人の位置に応じて、外部環境の変化を警報する態様を変更可能に構成される。人検知部４が検知した人の位置に応じて、警報器３の警報に人が気付きやすいような態様に、警報器３の外部環境の変化を警報する態様が変更される。
ステップＳ３において制御部２が変更する警報システム１の設定として、人検知部４が検知した人の位置に応じて、警報器３が外部環境の変化を警報する態様を変更（例えば、警報器３が発する警報音の音量、警報音の音圧、警報音の周波数、警報音のパターン、または、警報音の種類（パターンまたはメッセージ）等を変更）する設定を制御部２が行う。
例えば、制御部２は、人検知部４が検知した人の位置が警報器３から比較的遠い位置である場合（人検知部４が検知した人が警報器３から近くにいないと判断できる場合）には、人が警報器３の警報に気付きやすいように、人検知部４が検知した人の位置が警報器３から近い場合と比較して、警報器３が警報する警報音の音量を比較的大きく変更する設定、または、警報器３が発する警報音を人が比較的聞取り易い音声に変更する設定等を行う。
また例えば、警報器３が間歇的に警報音を発するように構成されるとき、制御部２は、人検知部４が検知した人の位置が警報器３から比較的遠い位置である場合には、人検知部４が検知した人の位置が警報器３から近い場合と比較して、警報器３が警報する警報音の間隔を比較的短い間隔に変更する設定を行う。
【００３０】
以上のように、警報器３が、人検知部４が検知した人の位置に応じて、外部環境の変化を警報する態様を変更可能に構成される、警報システム１では、例えば、警報器３から比較的遠い位置にいる人が警報器３の警報に気付きやすいように、人検知部４が検知した人の位置に応じて、警報器３の外部環境の変化を警報する態様を変更することができる。
したがって、警報システム１によれば、外部環境の変化をより確実に知らせることができる。
【００３１】
警報システム１の警報器３は、人検知部４が検知した人の位置に応じて、外部環境の変化を警報するタイミングを変更可能に構成することもできる。人検知部４が検知した人の位置に応じて、警報器３の警報に人が気付きやすいようなタイミングに、警報器３の外部環境の変化を警報するタイミングが変更される。
このとき、警報システム１では、ステップＳ３において制御部２が変更する警報システム１の設定として、人検知部４が検知した人の位置に応じて、警報器３が外部環境の変化を警報するタイミングを変更する設定を制御部２が行う。制御部２は、外部環境の変化として検知される所定の値（所定の閾値）を変更すること、または、外部環境の変化が検知される回数を変更することによって、警報器３が外部環境の変化を警報するタイミングを変更する。
例えば、制御部２は、人検知部４が検知した人の位置が警報器３から比較的遠い位置である場合には、人検知部４が検知した人の位置が警報器３から近い場合と比較して、警報器３が警報するタイミング（警報する動作を開始するタイミング）を比較的早くするように変更する設定を行う。通常時（人検知部４が人を検知していないとき等）において、警報器３が検出した被検知ガス等の値が所定の値を所定の時間以内に所定の回数（例えば１分間に６回）超えるものである場合に外部環境の変化を検知する設定のとき、制御部２は、人検知部４が検知した人の位置が警報器３から比較的遠い位置である場合には、警報器３のセンサ部５が検出した被検知ガス等の値が通常時よりも少ない回数（例えば１分間に３回）超えるものである場合に外部環境の変化を検知する設定を行う。
【００３２】
以上のように、警報器３が、人検知部４が検知した人の位置に応じて、外部環境の変化を警報するタイミングを変更可能に構成される、警報システム１では、例えば、警報器３から比較的遠い位置にいる人が警報器３の警報に気付きやすいように、人検知部４が検知した人の位置に応じて、警報器３の外部環境の変化を警報するタイミングを変更することができる。
したがって、警報システム１によれば、外部環境の変化をより確実に知らせることができる。
【００３３】
警報システム１の警報器３は、人検知部４が検知した人の位置に応じて、人検知部４が人を検知してから所定時間以内にさらに人を検知しなかったときに警報する態様を変更可能に構成することもできる。人検知部４が検知した人の位置に応じて、警報器３の警報に人が気付きやすいような態様に、人検知部４が人を検知してから所定時間以内にさらに人を検知しなかったときの警報器３の警報する態様が変更される。
ステップＳ３において制御部２が変更する警報システム１の設定として、人検知部４が検知した人の位置に応じて、人検知部４が人を検知してから所定時間以内にさらに人を検知しなかったときに警報器３が警報する態様を変更する設定を制御部２が行う。
【００３４】
以上のように、警報器３が、人検知部４が検知した人の位置に応じて、人検知部４が人を検知してから所定時間以内にさらに人を検知しなかったときに警報する態様を変更可能に構成される、警報システム１では、例えば、警報器３から比較的遠い位置にいる人が警報器３の警報に気付きやすいように、人検知部４が検知した人の位置に応じて、人検知部４が人を検知してから所定時間以内にさらに人を検知しなかったときに警報する態様を変更することができる。
したがって、警報システム１によれば、人検知部４が人を検知してから所定時間以内にさらに人を検知しなかったことをより確実に知らせることができる。
【００３５】
警報システム１の警報器３は、人検知部４が検知した人の位置に応じて、人検知部４が人を検知してから所定時間以内にさらに人を検知しなかったときに警報するタイミングを変更可能に構成することもできる。人検知部４が検知した人の位置に応じて、警報器３の警報に人が気付きやすいようなタイミングに、人検知部４が人を検知してから所定時間以内にさらに人を検知しなかったときの警報器３の警報するタイミングが変更される。
ステップＳ３において制御部２が変更する警報システム１の設定として、人検知部４が検知した人の位置に応じて、人検知部４が人を検知してから所定時間以内にさらに人を検知しなかったときに警報器３が警報するタイミングを変更する設定を制御部２が行う。
【００３６】
以上のように、警報器３が、人検知部４が検知した人の位置に応じて、人検知部４が人を検知してから所定時間以内にさらに人を検知しなかったときに警報するタイミングを変更可能に構成される、警報システム１では、例えば、警報器３から比較的遠い位置にいる人が警報器３の警報に気付きやすいように、人検知部４が検知した人の位置に応じて、人検知部４が人を検知してから所定時間以内にさらに人を検知しなかったときに警報するタイミングを変更することができる。
したがって、警報システム１によれば、人検知部４が人を検知してから所定時間以内にさらに人を検知しなかったことをより確実に知らせることができる。
【００３７】
警報システム１の警報器３が外部環境の変化を複数段階（例えば、四段階等）で検知するように構成される場合には、当該警報器３が検知した外部環境の変化の各段階と人検知部４が検知した人の位置とに応じて、外部環境の変化を警報する態様またはタイミングを変更可能に構成することもできる。
ステップＳ３において制御部２が変更する警報システム１の設定として、当該警報器３が検知した外部環境の変化の各段階と人検知部４が検知した人の位置とに応じて、外部環境の変化を警報する態様またはタイミングを変更する設定を制御部２が行う。
例えば、制御部２は、人検知部４が検知した人の位置が警報器３から比較的近い位置である場合には、人検知部４が検知した人の位置が警報器３から遠い場合と比較して、警報器３が比較的危険度の高い状態の外部環境の変化を検知したときのみ警報する設定、警報器３が警報する警報音の音量を比較的大きく変更する設定、または、警報器３が警報するタイミングを比較的早くするように変更する設定等を行う。
また例えば、制御部２は、人検知部４が検知した人の位置が警報器３から比較的遠い位置である場合には、人検知部４が検知した人の位置が警報器３から近い場合と比較して、警報器３が比較的危険度の低い状態の外部環境の変化を検知したときでも警報する設定、警報器３が警報する警報音の音量を比較的小さく変更する設定、または、警報器３が警報するタイミングを比較的遅くするように変更する設定等を行う。
より具体的には、警報器３が、人検知部４が検知した人の位置が警報器３から遠い位置である場合には、外部環境の変化を四段階で検知して（例えば、検出した被検知ガスの濃度が、低いとき、やや低いとき、中程度のとき、および、高いときに）警報し、人検知部４が検知した人の位置が警報器３から比較的遠い位置である場合には、外部環境の変化を三段階で検知して（例えば、検出した被検知ガスの濃度が、やや低いとき、中程度のとき、または、高いときに）警報し、人検知部４が検知した人の位置が警報器３から比較的近い位置である場合には、外部環境の変化を二段階で検知して（例えば、検出した被検知ガスの濃度が、中程度のとき、または、高いときに）警報するように、警報システム１の設定を制御部２が変更する。このとき、制御部２が、例えば、警報器３によって検出される被検知ガスの濃度が高いほど、警報器３が警報する警報音の音量を大きく変更する設定、または、警報器３が警報するタイミングを早くするように変更する設定等を行う構成とすることもできる。
【００３８】
以上のように、警報器３が、検知された外部環境の変化の各段階と人検知部４が検知した人の位置とに応じて、外部環境の変化を警報する態様またはタイミングを変更可能に構成される、警報システム１では、検知された外部環境の変化の各段階と人検知部４が検知した人の位置とに応じて、外部環境の変化を警報する態様またはタイミングを変更する。
したがって、警報システム１によれば、検知された外部環境の変化の各段階と人検知部４が検知した人の位置とに応じて外部環境の変化を警報する態様またはタイミングを変更することができ、外部環境の変化をより確実に知らせることができる。
【００３９】
警報システム１では、ステップＳ７において警報器３が警報する動作を停止する停止条件として、警報器３が警報する動作を行っているときに人検知部４が人を検知すること、とすることもできる。
以上のように、警報器３が警報する動作を停止する停止条件が、警報器３が警報する動作を行っているときに人検知部４が人を検知することとされる、警報システム１では、スイッチ等の操作具を備えずに、警報器３の警報する動作を停止する構成とすることができる。
したがって、警報システム１によれば、スイッチ等の操作具を備えるものに比べて簡易な構成とすることができる。
【００４０】
また、警報システム１では、ステップＳ７において警報器３が警報する動作を停止する停止条件として、警報器３が警報する動作を行っているときに警報停止操作部が人に操作されること、または、警報器３が警報する動作を行っているときに人検知部４が人を検知すること、とすることもできる。
このとき、警報停止操作部が人に操作されたときと、人検知部４が人を検知したときとでは、警報器３が警報する動作を停止する時間（一時停止する時間）がそれぞれ異なるようにすることもできる。例えば、警報停止操作部が人に操作されたときには、警報器３が警報する動作の停止時間を人検知部４が人を検知したときよりも長く（例えば、警報器３が警報する動作を少なくとも５分間は）停止する。また、人検知部４が人を検知したときには、警報器３が警報する動作の停止時間を警報停止操作部が人に操作されたときよりも短く（例えば、警報器３が警報する動作を少なくとも３分間は）停止する。
またこのとき、警報停止操作部が人に操作されたときと、人検知部４が人を検知したときとでは、警報器３が警報する動作を停止する態様がそれぞれ異なるようにすることもできる。例えば、警報停止操作部が人に操作されたときには、警報器３が警報する動作を完全に停止し、人検知部４が人を検知したときとには、警報器３が警報する動作を一時的に停止する。さらに、人検知部４が人を検知したときとには、警報器３が警報する動作を一時的に停止するか、完全に停止するかを選択可能に構成することもできる。
【００４１】
以上のように、警報停止操作部が人に操作されたときと、人検知部４が人を検知したときとでは、警報器３が警報する動作を停止する時間または態様がそれぞれ異なるように構成される、警報システム１では、警報停止操作部が人に操作されたときには、警報器３から人が近い場所にいることから、警報器３が警報する動作を比較的長い時間停止または完全に停止等し、また、警報器３が警報する動作人検知部４が人を検知したときには、警報器３が警報する動作が短いまたは一時停止等にする。
このため、警報システム１では、人が警報器３から離れた場所にいる場合には、警報器３の警報が停止した状態であっても、警報器３が配置される場所に移動して警報停止操作部を操作する行動を人にとらせることができる。
したがって、警報システム１によれば、警報器３から離れた場所に人がいるときには、警報器３の警報器３を一時停止等して、警報器３による警報が誤報か否かについて現場に行って確認等させることができ、利便性を高めつつ人の安全性を担保することができる。
【００４２】
また、警報システム１が複数個の人検知部４を備えるときには、ステップＳ７において警報器３が警報する動作を停止する停止条件については、警報器３が警報する動作を行っているときに複数個の人検知部４のうち少なくとも一個の人検知部４が人を検知すること、とすることもできる。
このとき、複数個の人検知部４のそれぞれの位置に応じて、警報器３が警報する動作を停止する時間がそれぞれ異なるようにすることもできる。
例えば、警報器３から近い位置に配置される人検知部４が人を検知したときには、警報器３から遠い位置に配置される人検知部４が人を検知したときに比べて、警報器３が警報する動作の停止時間を長くする。
このようにして、警報システム１では、人が警報器３から比較的離れた場所にいる場合には、警報器３の警報が停止した状態（一時停止した状態）を長くして、警報器３が配置される場所に移動して警報停止操作部を操作するまでの時間を確保することができる。
なお、警報器３が警報する動作を行っているときに複数個の人検知部４のうち少なくとも一個の人検知部４が人を検知したときに警報器３が警報する動作を停止する際、人検知部４の位置によらず、警報器３が警報する動作を停止する時間が同一となるようにすることもできる。
【００４３】
警報システム１は、警報器３が外部環境の変化を検知したとき、または、人検知部４が人を検知してから所定時間以内にさらに人を検知しなかったとき、その旨に関する情報を、電気通信回線を介して警報システム１が設置される場所から離れた場所（例えば、警備会社、消防署、または、携帯情報端末等）に通信可能に構成することもできる。
警報システム１は、警報器３が外部環境の変化を検知したことに関する情報、または、人検知部４が人を検知してから所定時間以内にさらに人を検知しなかったことに関する情報を、ステップＳ６において警報器３が警報するタイミングと同タイミング、警報器３が警報するタイミングよりも所定の早いタイミング、または、警報器３が警報するタイミングよりも所定の遅いタイミングで、通信する。
【００４４】
警報システム１は、人検知部４が検知した人の位置に応じて、警報器３が外部環境の変化を検知したことに関する情報、または、人検知部４が人を検知してから所定時間以内にさらに人を検知しなかったことに関する情報を警報システム１が通信するタイミングを変更可能に構成することもできる。
このとき、警報システム１では、ステップＳ３において制御部２が変更する警報システム１の設定として、警報器３が外部環境の変化を検知したことに関する情報、または、人検知部４が人を検知してから所定時間以内にさらに人を検知しなかったことに関する情報を警報システム１が通信するタイミングを変更する設定を制御部２が行う。
例えば、制御部２は、人検知部４が検知した人の位置が警報器３から比較的遠い位置である場合には、人検知部４が検知した人の位置が警報器３から近い場合と比較して、警報器３が外部環境の変化を検知したことに関する情報、または、人検知部４が人を検知してから所定時間以内にさらに人を検知しなかったことに関する情報を警報システム１が通信するタイミングを比較的遅く（長く）するように変更する設定を行う。
また例えば、制御部２は、人検知部４が検知した人の位置が警報器３から比較的近い位置である場合には、人検知部４が検知した人の位置が警報器３から遠い場合と比較して、警報器３が外部環境の変化を検知したことに関する情報、または、人検知部４が人を検知してから所定時間以内にさらに人を検知しなかったことに関する情報を警報システム１が通信するタイミングを比較的早くするように変更する設定を行う。
【００４５】
以上のように、人検知部４が検知した人の位置に応じて、警報器３が外部環境の変化を検知したことに関する情報、または、人検知部４が人を検知してから所定時間以内にさらに人を検知しなかったことに関する情報を通信するタイミングを変更可能に構成される、警報システム１では、人検知部４が検知した人の位置に応じて、警報器３が外部環境の変化を検知したことに関する情報、または、人検知部４が人を検知してから所定時間以内にさらに人を検知しなかったことに関する情報を通信するタイミングを変更することができる。
このため、警報システム１では、例えば、警報器３から比較的遠い位置に人を人検知部４が検知したときに、警報器３が外部環境の変化を検知したことに関する情報、または、人検知部４が人を検知してから所定時間以内にさらに人を検知しなかったことに関する情報を遅めに通信する（警報器３が警報してから通信するまでの時間を遅めにする）ことによって、警報器３から遠い位置にいる人が誤報などによる警報に気付いてから警報を停止するための時間を確保でき、外部へ誤報に基づく通信が行われることを防ぐことができる。なお、警報器３から比較的近い位置に人がいる場合は、警報器３から遠い位置にいる場合と比べて、当該人が誤報などによる警報に気付いてから警報を停止するまでの時間を必要としないことから、警報器３から遠い位置にいる場合と比べて外部へ通信するまでの時間を早めに設定してもよい。
【００４６】
警報システム１の警報器３が外部環境の変化を複数段階で検知するように構成される場合には、警報システム１は、警報器３が外部環境の変化を検知したことに関する情報を通信する態様を、警報器３が検知した外部環境の変化の各段階に応じて変更可能に構成することもできる。
例えば、警報システム１は、警報器３が比較的危険度の高い状態の外部環境の変化を検知したときのみ、警報器３が外部環境の変化を検知したことに関する情報を通信する。
【００４７】
以上のように、警報器３が外部環境の変化を複数段階で検知するように構成され、警報器３が外部環境の変化を検知したことに関する情報を通信する態様を、警報器３が検知した外部環境の変化の各段階に応じて変更可能に構成される、警報システム１では、警報器３が検知した外部環境の変化の危険度に応じて、警報器３が外部環境の変化を検知したことに関する情報を通信することができる。
したがって、警報システム１によれば、例えば、警報器３が比較的危険度の高い状態の外部環境の変化を検知したときのみ、警報器３が外部環境の変化を検知したことに関する情報を通信するようにして、警報器３が外部環境の変化を検知したことに関する情報が頻繁に通信されることを防止し、頻繁に誤報として通信されることを防止することができる。
【００４８】
警報システム１は、単数個の人検知部４と、単数個の警報器３と、を備える。
人検知部４と警報器３とは、別体で構成され、それぞれ離れた位置に配置される。人検知部４と警報器３とは、有線または無線等で互いに接続される。
このとき、人検知部４は、人が頻繁に出入する場所や人が集まりにくい場所等に配置されることが望ましい。人検知部４は、例えば、風呂場の入口、寝室、トイレ、廊下、階段、または、居間等に配置される。
警報器３は、人が集まり易い場所や人が居続ける時間が比較的長い場所等に配置されることが望ましい。警報器３は、例えば、台所、または、居間等に配置される。
【００４９】
図３に示すように、警報システム１は、複数個の人検知部４と、単数個の警報器３と、を備える構成とすることもできる。
このように、複数個の人検知部４を備える警報システム１では、広い範囲に人検知部４を配置して、広い範囲において人検知部４が人を検知したか否かの判断を行うことができる。
このとき、警報器３は、複数個の人検知部４のうち一個の人検知部４と一体的に構成することもできる。
【００５０】
図４に示すように、警報システム１は、単数個の人検知部４と、複数個の警報器３と、を備える構成とすることもできる。
このように、複数個の警報器３を備える警報システム１では、広い範囲に警報器３を配置して、広い範囲において警報器３による警報を行うことができる。
このとき、人検知部４は、複数個の警報器３のうち一個の警報器３と一体的に構成することもできる。またこのとき、制御部２は、人検知部４と一体的に構成することもできる。
【００５１】
図５に示すように、警報システム１は、複数個の人検知部４と、複数個の警報器３と、を備える構成とすることもできる。
このように、複数個の人検知部４と複数個の警報器３とを備える警報システム１では、広い範囲に人検知部４を配置して、広い範囲において人検知部４が人を検知したか否かの判断を行うことができ、また、広い範囲に警報器３を配置して、広い範囲において警報器３による警報を行うことができる。
このとき、警報システム１は単数個の制御部２を備え、制御部２は、人検知部４および警報器３と別体として構成されるが、人検知部４または警報器３と一体的に構成することもできる。
またこのとき、複数個の人検知部４と複数個の警報器３とをそれぞれ一体的に構成することもできる（図６参照）。
このように、複数個の人検知部４と複数個の警報器３とが一体的に構成される、警報システム１では、複数個の人検知部４と複数個の警報器３とを備えるものであっても、警報システム１をコンパクトに構成することができる。
【００５２】
複数個の警報器３を備える警報システム１では、複数個の警報器３のうち少なくとも一個の警報器３が外部環境の変化を検知したとき、または、人検知部４が人を検知してから所定時間以内にさらに人を検知しなかったときに全ての警報器３が警報する。
【００５３】
複数個の警報器３を備える警報システム１では、複数個の警報器３のうち少なくとも一個の警報器３が外部環境の変化を検知したとき、当該外部環境の変化を検知した警報器３のみが警報し、他の警報器３は警報しない構成とすることもできる。
【００５４】
複数個の警報器３を備える警報システム１では、複数個の警報器３のうち少なくとも一個の警報器３が外部環境の変化を検知したとき、当該外部環境の変化を検知した警報器３と、他の警報器３とで、異なる態様で警報する構成とすることもできる。例えば、外部環境の変化を検知した警報器３は通常通り警報し、他の警報器３は、当該外部環境の変化を検知した警報器３の場所や外部環境の変化を検知した警報器３がある旨等の音声を発する。
【００５５】
複数個の警報器３を備える警報システム１では、警報器３のセンサ部５が検出した値が外部環境の変化を検知したと制御部２に判断される所定の値（所定の閾値）を、警報器３毎に異なる値に設定することもできる。例えば、台所や茶室等のように、警報器３のセンサ部５が検出した値が外部環境の変化を検知したと制御部２に判断され易い場所では、所定の値（所定の閾値）を高めに設定する。このように、警報器３のセンサ部５が検出した値が外部環境の変化を検知したと制御部２に判断される所定の値を、複数個の警報器３毎に設定することにより、誤報として警報器３が外部環境の変化を警報することを防止することができる。
【００５６】
複数個の警報器３を備える警報システム１では、複数個の警報器３は、少なくともそのうち一部の警報器３について、人検知部４が検知した人の位置に応じて、外部環境の変化を警報する態様を変更可能に構成することもできる。人検知部４が検知した人の位置に応じて、警報器３の警報に人が気付きやすいような態様に、複数個の警報器３のうち一部の警報器３について外部環境の変化を警報する態様が変更される。
ステップＳ３において制御部２が変更する警報システム１の設定として、人検知部４が検知した人の位置に応じて、複数個の警報器３のうち少なくとも一部の警報器３について外部環境の変化を警報する態様を変更する設定を制御部２が行う。
例えば、制御部２は、人検知部４が検知した人の位置から比較的遠い位置の警報器３については、人検知部４が検知した人の位置が警報器３から近い場合と比較して、警報音の音量を比較的大きく変更する設定、または、警報音を人が比較的聞取り易い音声に変更する設定等を行う。
また例えば、警報器３が間歇的に警報音を発するように構成されるとき、制御部２は、人検知部４が検知した人の位置から比較的遠い位置の警報器３については、人検知部４が検知した人の位置が警報器３から近い場合と比較して、警報器３が警報する警報音の間隔を比較的短い間隔に変更する設定を行う。
また例えば、制御部２は、人検知部４が検知した位置から最も近い警報器３のみが警報するように、人検知部４が検知した人の位置に応じて警報器３が警報しない設定を行う。
なお、単数個の人検知部４または複数個の人検知部４が複数の人を検知した場合においても同様に、複数個の警報器３は、少なくともそのうち一部の警報器３について、人検知部４が検知した人毎の位置に応じて、警報する態様を変更可能に構成される。
【００５７】
以上のように、複数個の警報器３は、少なくともそのうち一部の警報器３について、人検知部４が検知した人の位置に応じて外部環境の変化を警報する態様を変更可能に構成される、警報システム１では、例えば、警報器３から比較的遠い位置にいる人が警報器３の警報に気付きやすいように、人検知部４が検知した人の位置に応じて、複数個の警報器３のうち一部の警報器３について外部環境の変化を警報する態様を変更することができる。
したがって、警報システム１によれば、外部環境の変化をより確実に知らせることができる。
【００５８】
複数個の警報器３を備える警報システム１では、複数個の警報器３は、少なくともそのうち一部の警報器３について、人検知部４が検知した人の位置に応じて、外部環境の変化を警報するタイミングを変更可能に構成することもできる。人検知部４が検知した人の位置に応じて、警報器３の警報に人が気付きやすいような態様に、複数個の警報器３のうち一部の警報器３について外部環境の変化を警報するタイミングが変更される。
ステップＳ３において制御部２が変更する警報システム１の設定として、人検知部４が検知した人の位置に応じて、複数個の警報器３のうち一部の警報器３について外部環境の変化を警報するタイミングを変更する設定を制御部２が行う。
例えば、制御部２は、人検知部４が検知した人の位置が警報器３から比較的遠い位置の警報器３については、人検知部４が検知した人の位置が警報器３から近い場合と比較して、警報するタイミングを比較的早く変更する設定を行う。
また例えば、制御部２は、人検知部４が検知した人の位置から比較的近い位置から遠い位置の順に、警報器３が警報する設定等を行う。
なお、検知器（複数個の検知器）が複数の人を検知した場合においても同様に、複数個の警報器３は、少なくともそのうち一部の警報器３について、人検知部４が検知した人毎の位置に応じて、警報するタイミングを変更可能に構成される。
【００５９】
以上のように、複数個の警報器３は、少なくともそのうち一部の警報器３について、人検知部４が検知した人の位置に応じて、外部環境の変化を警報するタイミングを変更可能に構成される、警報システム１では、例えば、警報器３から比較的遠い位置にいる人が警報器３の警報に気付きやすいように、人検知部４が検知した人の位置に応じて、複数個の警報器３のうち一部の警報器３について外部環境の変化を警報するタイミングを変更することができる。
したがって、警報システム１によれば、人の位置に対応するようにして、外部環境の変化を確実に知らせることができる。
【００６０】
複数個の警報器３を備える警報システム１では、複数個の警報器３は、少なくともそのうち一部の警報器３について、人検知部４が検知した人の位置に応じて、人検知部４が人を検知してから所定時間以内にさらに人を検知しなかったときに警報する態様を変更可能に構成することもできる。人検知部４が検知した人の位置に応じて、警報器３の警報に人が気付きやすいような態様に、複数個の警報器３のうち一部の警報器３について人検知部４が人を検知してから所定時間以内にさらに人を検知しなかったときに警報する態様が変更される。
ステップＳ３において制御部２が変更する警報システム１の設定として、人検知部４が検知した人の位置に応じて、複数個の警報器３のうち一部の警報器３について、人検知部４が人を検知してから所定時間以内にさらに人を検知しなかったときに警報器３が警報する態様を変更する設定を制御部２が行う。
【００６１】
以上のように、複数個の警報器３は、少なくともそのうち一部の警報器３について、人検知部４が検知した人の位置に応じて、人検知部４が人を検知してから所定時間以内にさらに人を検知しなかったときに警報する態様を変更可能に構成される、警報システム１では、例えば、警報器３から比較的遠い位置にいる人が警報器３の警報に気付きやすいように、人検知部４が検知した人の位置に応じて、複数個の警報器３のうち一部の警報器３について人検知部４が人を検知してから所定時間以内にさらに人を検知しなかったときに警報する態様を変更することができる。
したがって、警報システム１によれば、人検知部４が人を検知してから所定時間以内にさらに人を検知しなかったことをより確実に知らせることができる。
【００６２】
複数個の警報器３を備える警報システム１では、複数個の警報器３は、少なくともそのうち一部の警報器３について、人検知部４が検知した人の位置に応じて、人検知部４が人を検知してから所定時間以内にさらに人を検知しなかったときに警報するタイミングを変更可能に構成することもできる。人検知部４が検知した人の位置に応じて、警報器３の警報に人が気付きやすいような態様に、複数個の警報器３のうち一部の警報器３について人検知部４が人を検知してから所定時間以内にさらに人を検知しなかったときに警報するタイミングが変更される。
ステップＳ３において制御部２が変更する警報システム１の設定として、人検知部４が検知した人の位置に応じて、複数個の警報器３のうち一部の警報器３について、人検知部４が人を検知してから所定時間以内にさらに人を検知しなかったときに警報器３が警報するタイミングを変更する設定を制御部２が行う。
【００６３】
以上のように、複数個の警報器３は、少なくともそのうち一部の警報器３について、人検知部４が検知した人の位置に応じて、人検知部４が人を検知してから所定時間以内にさらに人を検知しなかったときに警報するタイミングを変更可能に構成される、警報システム１では、例えば、警報器３から比較的遠い位置にいる人が警報器３の警報に気付きやすいように、人検知部４が検知した人の位置に応じて、複数個の警報器３のうち一部の警報器３について人検知部４が人を検知してから所定時間以内にさらに人を検知しなかったときに警報するタイミングを変更することができる。
したがって、警報システム１によれば、人検知部４が人を検知してから所定時間以内にさらに人を検知しなかったことをより確実に知らせることができる。
【００６４】
次に、図７から図１３に記載の警報システム１について説明する。
なお、図１から図６に記載の警報システム１についての説明は、図１から図６に記載の警報システム１と同様の構成の部分については適宜省略し、図１から図６に記載の警報システム１の構成と異なる部分を中心に説明する。
【００６５】
図７に示すように、警報システム１は、制御部２と、警報器３と、人検知部４と、熱中症計測部７と、を備える。警報システム１の制御部２と警報器３と人検知部４と熱中症計測部７と、はそれぞれ同一屋内に配置される。
【００６６】
警報システム１の制御部２は、警報器３（人検知部４、警報器３、および、熱中症計測部７）の各種の動作を制御する。
制御部２は、警報器３と一体的に構成される。
なお、制御部２は、警報器３と別体で構成することもでき、また、警報器３と人検知部４と熱中症計測部７とは別の場所（例えば、同一屋内以外の場所）に制御部２を配置することもできる。
【００６７】
警報システム１の熱中症計測部７は、温度、湿度、および／または、暑さ指数（ＷＢＧＴ（Ｗｅｔ  Ｂｕｌｂ  Ｇｌｏｂｅ  Ｔｅｍｐｅｒａｔｕｒｅ））等の熱中症に関する値を計測する。
【００６８】
警報システム１の警報器３の警報部６は、例えば、警報音または警報メッセージ等の音声を発することによって警報する。
警報器３の警報部６は、センサ部５が外部環境の変化を検知したときに警報する。警報器３の警報部６は、センサ部５が検出した値が予め定められた所定の値（所定の閾値）以上と制御部２が判断したときに警報する。
また、警報器３の警報部６は、人検知部４が人を検知してから所定時間以内にさらに人を検知しなかったときに、例えば、人が倒れた状態のまま動かないことと仮定して、警報する。警報器３の警報部６は、人検知部４が人を検知してから予め定められた所定時間以内にさらに人を検知しなかったと制御部２が判断したときに警報する。
また、警報器３の警報部６は、熱中症計測部７が計測した計測値が所定の値以上のときに、熱中症計測部７が配置される近傍の人に熱中症のおそれがあるものとして、警報する。警報器３の警報部６は、熱中症計測部７が計測した計測値が予め定められた所定の値（所定の閾値）以上と制御部２が判断したときに警報する。
また、警報器３の警報部６は、上記に加えて、人検知部４が所定時間人を検知し続ける場合も、例えば、人が倒れた状態であると仮定して、警報する構成としてもよい。また、警報部６は、人検知部４の設置場所に応じて、人検知部４が所定時間人を検知し続ける場合も警報するか否か、または、人検知部４が人を検知し続けたときに警報する際の所定時間等を設定可能に構成することもできる。
【００６９】
次に、警報システム１における警報器３が警報する一連の動作について、図８を用いて説明する。
【００７０】
図８に示すように、警報システム１では、まず、人検知部４が人を検知したか否かについて、制御部２が判断する（ステップＳ１）。
人検知部４が人を検知した、と制御部２が判断した場合、ステップＳ２に移行する。
人検知部４が人を検知していない、と制御部２が判断した場合、ステップＳ４に移行する。
【００７１】
次に、警報システム１では、制御部２が、人検知部４が人を検知したことに関する情報を記憶装置に記憶する（ステップＳ２）。
制御部２が、人検知部４が人を検知したことに関する情報を記憶装置に記憶した後、ステップＳ９に移行する。
【００７２】
次に、警報システム１では、熱中症計測部７が熱中症に関する値を計測して、当該熱中症計測部７が計測した熱中症に関する計測値についての情報を制御部２が記憶装置に記憶する（ステップＳ９）。
熱中症計測部７が熱中症に関する値を計測して、当該熱中症計測部７が計測した熱中症に関する計測値についての情報を制御部２が記憶装置に記憶した後、ステップＳ３に移行する。
【００７３】
次に、警報システム１では、制御部２が、ステップＳ２において記憶装置に記憶した人検知部４が人を検知したことに関する情報に基づいて、または、ステップＳ９において記憶装置に記憶した熱中症に関する計測値についての情報に基づいて、警報システム１の設定を変更する（ステップＳ３）。制御部２は、前記変更された警報システム１の設定に関する情報を記憶装置に記憶される。
警報システム１の設定を変更した後、ステップＳ４に移行する。
【００７４】
次に、警報システム１では、制御部２が、ステップＳ２において記憶装置に記憶した人検知部４が人を検知したことに関する情報に基づいて、人検知部４が直近で人を検知してから所定時間経過したか否かについて判断する（ステップＳ４）。
人検知部４が直近で人を検知してから所定時間経過した、と制御部２が判断した場合、ステップＳ６に移行する。
人検知部４が直近で人を検知してから所定時間経過していない、と制御部２が判断した場合、ステップＳ５に移行する。
【００７５】
次に、警報システム１では、制御部２が、警報器３によって外部環境の変化が検知されたか否かについて判断する（ステップＳ５）。
警報器３によって外部環境の変化が検知された、と制御部２が判断した場合には、ステップＳ６に移行する。
警報器３によって外部環境の変化が検知されない、と制御部２が判断した場合には、ステップＳ１０に移行する。
【００７６】
次に、警報システム１では、制御部２が、ステップＳ９において記憶装置に記憶した熱中症に関する計測値についての情報に基づいて、熱中症計測部７が計測した計測値が所の定値以上か否かについて判断する（ステップＳ１０）。
熱中症計測部７が計測した計測値が所定の値以上である、と制御部２が判断した場合、ステップＳ６に移行する。
熱中症計測部７が計測した計測値が所定の値以上でない、と制御部２が判断した場合、ステップＳ１に移行する。
【００７７】
次に、警報システム１では、警報器３が警報する動作を行う（ステップＳ６）。
警報器３が警報する動作を行った後、ステップＳ７に移行する。
【００７８】
次に、警報システム１では、警報器３が警報する動作を停止する停止条件を満たしたか否かについて、制御部２が判断する（ステップＳ７）。
停止条件を満たした、と制御部２が判断した場合、ステップＳ８に移行する。
停止条件を満たしていない、と制御部２が判断した場合、ステップＳ６に移行して、警報器３が警報する動作を継続する。
【００７９】
次に、警報システム１では、警報器３が警報する動作を停止する（ステップＳ８）。
警報器３が警報する動作を停止した後、ステップＳ１に移行する。
このようにして、警報システム１では、警報器３が警報する一連の動作を行う。
【００８０】
警報システム１の警報器３は、人検知部４が検知した人の位置に応じて、熱中症計測部７が計測した計測値が所定の値以上のときに警報する態様を変更可能に構成される。人検知部４が検知した人の位置に応じて、警報器３の警報に人が気付きやすいような態様に、熱中症計測部７が計測した計測値が所定の値以上のときに警報する態様が変更される。
ステップＳ３において制御部２が変更する警報システム１の設定として、人検知部４が検知した人の位置に応じて、熱中症計測部７が計測した計測値が所定の値以上のときに警報する態様を変更する設定を制御部２が行う。
【００８１】
以上のように、警報器３が、人検知部４が検知した人の位置に応じて、熱中症計測部７が計測した計測値が所定の値以上のときに警報する態様を変更可能に構成される、警報システム１では、例えば、警報器３から比較的遠い位置にいる人が警報器３の警報に気付きやすいように、人検知部４が検知した人の位置に応じて、熱中症計測部７が計測した計測値が所定の値以上のときに警報する態様を変更することができる。
したがって、警報システム１によれば、熱中症計測部７が計測した計測値が所定の値以上であることをより確実に知らせることができ、熱中症のおそれがある人の安全を確保することができる。
【００８２】
警報システム１の警報器３は、人検知部４が検知した人の位置に応じて、熱中症計測部７が計測した計測値が所定の値以上のときに警報するタイミングを変更可能に構成することもできる。人検知部４が検知した人の位置に応じて、警報器３の警報に人が気付きやすいようなタイミングに、熱中症計測部７が計測した計測値が所定の値以上のときに警報するタイミングが変更される。
このとき、警報システム１では、ステップＳ３において制御部２が変更する警報システム１の設定として、人検知部４が検知した人の位置に応じて、熱中症計測部７が計測した計測値が所定の値以上のときに警報するタイミングを変更する設定を制御部２が行う。
【００８３】
以上のように、警報器３が、人検知部４が検知した人の位置に応じて、熱中症計測部７が計測した計測値が所定の値以上のときに警報するタイミングを変更可能に構成される、警報システム１では、例えば、警報器３から比較的遠い位置にいる人が警報器３の警報に気付きやすいように、人検知部４が検知した人の位置に応じて、熱中症計測部７が計測した計測値が所定の値以上のときに警報するタイミングを変更することができる。
したがって、警報システム１によれば、熱中症計測部７が計測した計測値が所定の値以上であることをより確実に知らせることができ、熱中症のおそれがある人の安全を確保することができる。
【００８４】
警報システム１の警報器３は、熱中症計測部７が計測した熱中症に関する計測値に応じて、外部環境の変化を警報する態様を変更可能に構成される。熱中症計測部７が計測した熱中症に関する計測値に応じて、警報器３の警報に人が気付きやすいように、警報器３の外部環境の変化を警報する態様が変更される。
ステップＳ３において制御部２が変更する警報システム１の設定として、熱中症計測部７が計測した熱中症に関する計測値に応じて、警報器３が外部環境の変化を警報する態様を変更する設定を制御部２が行う。
例えば、制御部２は、熱中症計測部７が計測した熱中症に関する計測値が比較的高いものである場合には、熱中症計測部７が計測した熱中症に関する計測値が比較的低いものである場合と比較して、人が警報器３の警報に気付きやすいように、警報器３が警報する警報音の音量を比較的大きく変更する設定、または、警報器３が発する警報音を人が比較的聞取り易い音声に変更する設定等を行う。
また例えば、警報器３が間歇的に警報音を発するように構成されるとき、制御部２は、熱中症計測部７が計測した熱中症に関する計測値が比較的高いものである場合には、熱中症計測部７が計測した熱中症に関する計測値が比較的低いものである場合と比較して、警報器３が警報する警報音の間隔を比較的短い間隔に変更する設定を行う。
【００８５】
以上のように、警報器３が、熱中症計測部７が計測した熱中症に関する計測値に応じて、外部環境の変化を警報する態様を変更可能に構成される、警報システム１では、例えば、熱中症計測部７が計測した熱中症に関する計測値が比較的高いものである場合に、人が警報器３の警報に気付きやすいように、熱中症計測部７が計測した熱中症に関する計測値が比較的低いものである場合と比較して、熱中症計測部７が計測した熱中症に関する計測値に応じて、警報器３の外部環境の変化を警報する態様を変更することができる。
したがって、警報システム１によれば、外部環境の変化をより確実に知らせることができ、熱中症のおそれがある人の安全を確保することができる。
【００８６】
警報システム１の警報器３は、熱中症計測部７が計測した熱中症に関する計測値に応じて、外部環境の変化を警報するタイミングを変更可能に構成することもできる。熱中症計測部７が計測した熱中症に関する計測値に応じて、警報器３の警報に人が気付きやすいように、警報器３の外部環境の変化を警報するタイミングが変更される。
このとき、警報システム１では、ステップＳ３において制御部２が変更する警報システム１の設定として、熱中症計測部７が計測した熱中症に関する計測値に応じて、警報器３が外部環境の変化を警報するタイミングを変更する設定を制御部２が行う。
例えば、制御部２は、熱中症計測部７が計測した熱中症に関する計測値が比較的高いものである場合には、熱中症計測部７が計測した熱中症に関する計測値が比較的低いものである場合と比較して、警報器３が警報するタイミング（警報する動作を開始するタイミング）を比較的早くするように変更する設定を行う。
【００８７】
以上のように、警報器３は、熱中症計測部７が計測した熱中症に関する計測値に応じて、外部環境の変化を警報するタイミングを変更可能に構成される、警報システム１では、例えば、熱中症計測部７が計測した熱中症に関する計測値が比較的高いものである場合に、人が警報器３の警報に気付きやすいように、熱中症計測部７が計測した熱中症に関する計測値が比較的低いものである場合と比較して、熱中症計測部７が計測した熱中症に関する計測値に応じて、警報器３の外部環境の変化を警報するタイミングを変更することができる。
したがって、警報システム１によれば、外部環境の変化をより確実に知らせることができ、熱中症のおそれがある人の安全を確保することができる。
【００８８】
警報システム１の警報器３は、熱中症計測部７が計測した熱中症に関する計測値に応じて、人検知部４が人を検知してから所定時間以内にさらに人を検知しなかったときに警報する態様を変更可能に構成することもできる。熱中症計測部７が計測した熱中症に関する計測値に応じて、警報器３の警報に人が気付きやすいように、人検知部４が人を検知してから所定時間以内にさらに人を検知しなかったときの警報器３の警報する態様が変更される。
ステップＳ３において制御部２が変更する警報システム１の設定として、熱中症計測部７が計測した熱中症に関する計測値に応じて、人検知部４が人を検知してから所定時間以内にさらに人を検知しなかったときに警報器３が警報する態様を変更する設定を制御部２が行う。
【００８９】
以上のように、警報器３が、熱中症計測部７が計測した熱中症に関する計測値に応じて、人検知部４が人を検知してから所定時間以内にさらに人を検知しなかったときに警報する態様を変更可能に構成される、警報システム１では、例えば、熱中症計測部７が計測した熱中症に関する計測値が比較的高いものである場合には、人が警報器３の警報に気付きやすいように、熱中症計測部７が計測した熱中症に関する計測値が比較的低いものである場合と比較して、熱中症計測部７が計測した熱中症に関する計測値に応じて、人検知部４が人を検知してから所定時間以内にさらに人を検知しなかったときに警報する態様を変更することができる。
したがって、警報システム１によれば、人検知部４が人を検知してから所定時間以内にさらに人を検知しなかったことをより確実に知らせることができ、熱中症のおそれがある人の安全を確保することができる。
【００９０】
警報システム１の警報器３は、熱中症計測部７が計測した熱中症に関する計測値に応じて、人検知部４が人を検知してから所定時間以内にさらに人を検知しなかったときに警報するタイミングを変更可能に構成することもできる。熱中症計測部７が計測した熱中症に関する計測値に応じて、警報器３の警報に人が気付きやすいように、人検知部４が人を検知してから所定時間以内にさらに人を検知しなかったときの警報器３の警報するタイミングが変更される。
ステップＳ３において制御部２が変更する警報システム１の設定として、熱中症計測部７が計測した熱中症に関する計測値に応じて、人検知部４が人を検知してから所定時間以内にさらに人を検知しなかったときに警報器３が警報するタイミングを変更する設定を制御部２が行う。
例えば、制御部２は、熱中症計測部７が計測した熱中症に関する計測値が比較的高いものである場合には、熱中症計測部７が計測した熱中症に関する計測値が比較的低いものである場合と比較して、人検知部４が人を検知してから警報するまでの所定時間を通常時よりも短い時間とする設定を行う。
【００９１】
以上のように、警報器３が、熱中症計測部７が計測した熱中症に関する計測値に応じて、人検知部４が人を検知してから所定時間以内にさらに人を検知しなかったときに警報するタイミングを変更可能に構成される、警報システム１では、例えば、熱中症計測部７が計測した熱中症に関する計測値が比較的高いものである場合には、人が警報器３の警報に気付きやすいように、熱中症計測部７が計測した熱中症に関する計測値に応じて、人検知部４が人を検知してから所定時間以内にさらに人を検知しなかったときに警報するタイミングを変更することができる。
したがって、警報システム１によれば、人検知部４が人を検知してから所定時間以内にさらに人を検知しなかったことをより確実に知らせることができ、熱中症のおそれがある人の安全を確保することができる。
【００９２】
警報システム１の警報器３は、熱中症計測部７が計測した熱中症に関する計測値に応じて、熱中症計測部７が計測した計測値が所定の値以上のときに警報する態様を変更可能に構成される。熱中症計測部７が計測した熱中症に関する計測値に応じて、警報器３の警報に人が気付きやすいような態様に、熱中症計測部７が計測した計測値が所定の値以上のときに警報する態様が変更される。
ステップＳ３において制御部２が変更する警報システム１の設定として、熱中症計測部７が計測した熱中症に関する計測値に応じて、熱中症計測部７が計測した計測値が所定の値以上のときに警報する態様を変更する設定を制御部２が行う。
【００９３】
以上のように、警報器３が、熱中症計測部７が計測した熱中症に関する計測値に応じて、熱中症計測部７が計測した計測値が所定の値以上のときに警報する態様を変更可能に構成される、警報システム１では、例えば、熱中症計測部７が計測した熱中症に関する計測値が比較的高いものである場合には、人が警報器３の警報に気付きやすいように、熱中症計測部７が計測した熱中症に関する計測値が比較的低いものである場合と比較して、熱中症計測部７が計測した計測値が所定の値以上のときに警報する態様を変更することができる。
したがって、警報システム１によれば、熱中症計測部７が計測した熱中症に関する計測値が所定値以上であることをより確実に知らせることができ、熱中症のおそれがある人の安全を確保することができる。
【００９４】
警報システム１の警報器３は、熱中症計測部７が計測した熱中症に関する計測値に応じて、熱中症計測部７が計測した計測値が所定の値以上のときに警報するタイミングを変更可能に構成することもできる。熱中症計測部７が計測した熱中症に関する計測値に応じて、警報器３の警報に人が気付きやすいようなタイミングに、熱中症計測部７が計測した計測値が所定の値以上のときに警報するタイミングが変更される。
このとき、警報システム１では、ステップＳ３において制御部２が変更する警報システム１の設定として、熱中症計測部７が計測した熱中症に関する計測値に応じて、熱中症計測部７が計測した計測値が所定の値以上のときに警報するタイミングを変更する設定を制御部２が行う。
【００９５】
以上のように、警報器３が、熱中症計測部７が計測した熱中症に関する計測値に応じて、熱中症計測部７が計測した計測値が所定の値以上のときに警報するタイミングを変更可能に構成される、警報システム１では、例えば、熱中症計測部７が計測した熱中症に関する計測値が比較的高いものである場合には、人が警報器３の警報に気付きやすいように、熱中症計測部７が計測した熱中症に関する計測値が比較的低いものである場合と比較して、熱中症計測部７が計測した熱中症に関する計測値に応じて、熱中症計測部７が計測した計測値が所定の値以上のときに警報するタイミングを変更することができる。
したがって、警報システム１によれば、熱中症計測部７が計測した熱中症に関する計測値が所定値以上であることをより確実に知らせることができ、熱中症のおそれがある人の安全を確保することができる。
【００９６】
警報システム１の警報器３が外部環境の変化を複数段階で検知するように構成される場合には、当該警報器３が検知した外部環境の変化の各段階と熱中症計測部７が計測した熱中症に関する計測値に応じて、外部環境の変化を警報する態様またはタイミングを変更可能に構成することもできる。
ステップＳ３において制御部２が変更する警報システム１の設定として、当該警報器３が検知した外部環境の変化の各段階と熱中症計測部７が計測した熱中症に関する計測値に応じて、外部環境の変化を警報する態様またはタイミングを変更する設定を制御部２が行う。
例えば、制御部２は、熱中症計測部７が計測した熱中症に関する計測値が比較的低いものである場合には、熱中症計測部７が計測した熱中症に関する計測値が比較的高いものである場合と比較して、警報器３が比較的危険度の高い状態の外部環境の変化を検知したときのみ警報する設定、警報器３が警報する警報音の音量を比較的大きく変更する設定、または、警報器３が警報するタイミングを比較的早くするように変更する設定等を行う。
また例えば、制御部２は、熱中症計測部７が計測した熱中症に関する計測値が比較的高いものである場合には、熱中症計測部７が計測した熱中症に関する計測値が比較的低いものである場合と比較して、警報器３が比較的危険度の低い状態の外部環境の変化を検知したときでも警報する設定、警報器３が警報する警報音の音量を比較的小さく変更する設定、または、警報器３が警報するタイミングを比較的遅くするように変更する設定等を行う。
より具体的には、警報器３が、熱中症計測部７が計測した熱中症に関する計測値が高いものである場合には、外部環境の変化を四段階で検知して（例えば、検出した被検知ガスの濃度が、低いとき、やや低いとき、中程度のとき、および、高いときに）警報し、熱中症計測部７が計測した熱中症に関する計測値が比較的高いものである場合には、外部環境の変化を三段階で検知して（例えば、検出した被検知ガスの濃度が、やや低いとき、中程度のとき、または、高いときに）警報し、熱中症計測部７が計測した熱中症に関する計測値が比較的低いものである場合には、外部環境の変化を二段階で検知して（例えば、検出した被検知ガスの濃度が、中程度のとき、または、高いときに）警報するように、警報システム１の設定を制御部２が変更する。このとき、制御部２が、例えば、警報器３によって検出される被検知ガスの濃度が高いほど、警報器３が警報する警報音の音量を大きく変更する設定、または、警報器３が警報するタイミングを早くするように変更する設定等を行う構成とすることもできる。
【００９７】
以上のように、警報器３が、検知された外部環境の変化の各段階と熱中症計測部７が計測した熱中症に関する計測値に応じて、外部環境の変化を警報する態様またはタイミングを変更可能に構成される、警報システム１では、検知された外部環境の変化の各段階と熱中症計測部７が計測した熱中症に関する計測値に応じて、外部環境の変化を警報する態様またはタイミングを変更する。
したがって、警報システム１によれば、検知された外部環境の変化の各段階と熱中症計測部７が計測した熱中症に関する計測値に応じて外部環境の変化を警報する態様またはタイミングを変更することができ、外部環境の変化をより確実に知らせることができ、熱中症のおそれがある人の安全を確保することができる。
【００９８】
警報システム１は、警報器３が外部環境の変化を検知したとき、人検知部４が人を検知してから所定時間以内にさらに人を検知しなかったとき、または、熱中症計測部７が計測した計測値が所定の値以上のとき、その旨に関する情報を、電気通信回線を介して警報システム１が設置される場所から離れた場所に通信可能に構成することもできる。
警報システム１は、警報器３が外部環境の変化を検知したことに関する情報、または、人検知部４が人を検知してから所定時間以内にさらに人を検知しなかったことに関する情報、または、熱中症計測部７が計測した計測値が所定の値以上であることに関する情報を、ステップＳ６において警報器３が警報するタイミングと同タイミング、警報器３が警報するタイミングよりも所定の早いタイミング、または、警報器３が警報するタイミングよりも所定の遅いタイミングで、通信する。
【００９９】
警報システム１は、人検知部４が検知した人の位置に応じて、熱中症計測部７が計測した計測値が所定の値以上であることに関する情報を警報システム１が通信するタイミングを変更可能に構成することもできる。
このとき、警報システム１では、ステップＳ３において制御部２が変更する警報システム１の設定として、人検知部４が検知した人の位置に応じて、熱中症計測部７が計測した計測値が所定の値以上であることに関する情報を警報システム１が通信するタイミングを変更する設定を制御部２が行う。
例えば、制御部２は、人検知部４が検知した人の位置が警報器３から比較的遠い位置である場合には、人検知部４が検知した人の位置が警報器３から近い場合と比較して、熱中症計測部７が計測した計測値が所定の値以上であることに関する情報を警報システム１が通信するタイミングを比較的遅く（長く）するように変更する設定を行う。
また例えば、制御部２は、人検知部４が検知した人の位置が警報器３から比較的近い位置である場合には、人検知部４が検知した人の位置が警報器３から遠い場合と比較して、熱中症計測部７が計測した計測値が所定の値以上であることに関する情報を警報システム１が通信するタイミングを比較的早くするように変更する設定を行う。
【０１００】
以上のように、人検知部４が検知した人の位置に応じて、熱中症計測部７が計測した計測値が所定の値以上であることに関する情報を通信するタイミングを変更可能に構成される、警報システム１では、人検知部４が検知した人の位置に応じて、熱中症計測部７が計測した計測値が所定の値以上であることに関する情報を通信するタイミングを変更することができる。
このため、警報システム１では、例えば、警報器３から比較的遠い位置に人を人検知部４が検知したときに、熱中症計測部７が計測した計測値が所定の値以上であることに関する情報を遅めに通信する（警報器３が警報してから通信するまでの時間を遅めにする）ことによって、警報器３から遠い位置にいる人が誤報などによる警報に気付いてから警報を停止するための時間を確保でき、外部へ誤報に基づく通信が行われることを防ぐことができる。なお、警報器３から比較的近い位置に人がいる場合は、警報器３から遠い位置にいる場合と比べて、当該人が誤報などによる警報に気付いてから警報を停止するまでの時間を必要としないことから、警報器３から遠い位置にいる場合と比べて外部へ通信するまでの時間を早めに設定してもよい。
【０１０１】
警報システム１は、熱中症計測部７が計測した熱中症に関する計測値に応じて、報器が外部環境の変化を検知したことに関する情報、人検知部４が人を検知してから所定時間以内にさらに人を検知しなかったことに関する情報、または、熱中症計測部７が計測した計測値が所定の値以上であることに関する情報を警報システム１が通信するタイミングを変更可能に構成することもできる。
このとき、警報システム１では、ステップＳ３において制御部２が変更する警報システム１の設定として、熱中症計測部７が計測した熱中症に関する計測値に応じて、報器が外部環境の変化を検知したことに関する情報、人検知部４が人を検知してから所定時間以内にさらに人を検知しなかったことに関する情報、または、熱中症計測部７が計測した計測値が所定の値以上であることに関する情報を警報システム１が通信するタイミングを変更する設定を制御部２が行う。
例えば、制御部２は、熱中症計測部７が計測した熱中症に関する計測値が比較的高いものである場合には、熱中症計測部７が計測した熱中症に関する計測値が比較的低いものである場合と比較して、報器が外部環境の変化を検知したことに関する情報、人検知部４が人を検知してから所定時間以内にさらに人を検知しなかったことに関する情報、または、熱中症計測部７が計測した計測値が所定の値以上であることに関する情報を警報システム１が通信するタイミングを比較的早くするように変更する設定を行う。
【０１０２】
以上のように、熱中症計測部７が計測した熱中症に関する計測値に応じて、報器が外部環境の変化を検知したことに関する情報、人検知部４が人を検知してから所定時間以内にさらに人を検知しなかったことに関する情報、または、熱中症計測部７が計測した計測値が所定の値以上であることに関する情報を通信するタイミングを変更可能に構成される、警報システム１では、熱中症計測部７が計測した熱中症に関する計測値に応じて、報器が外部環境の変化を検知したことに関する情報、人検知部４が人を検知してから所定時間以内にさらに人を検知しなかったことに関する情報、または、熱中症計測部７が計測した計測値が所定の値以上であることに関する情報を通信するタイミングを変更することができる。
このため、警報システム１では、熱中症計測部７が計測した熱中症に関する計測値に応じて、報器が外部環境の変化を検知したことに関する情報、人検知部４が人を検知してから所定時間以内にさらに人を検知しなかったことに関する情報、または、熱中症計測部７が計測した計測値が所定の値以上であることに関する情報を早めに通信して、熱中症に関する計測値が比較的高い状態において、外部環境の変化が生じていること、人検知部４が人を検知してから所定時間以内にさらに人を検知しなかったこと、または、熱中症計測部７の計測した計測値が所定の値以上であること等を、早めに外部に知らせることができる。
したがって、警報システム１によれば、熱中症計測部７が計測した熱中症に関する計測値に対応するようにして、外部環境の変化が生じていること、人検知部４が人を検知してから所定時間以内にさらに人を検知しなかったこと、または、熱中症計測部７の計測した計測値が所定の値以上であること等を外部により確実に知らせることができ、熱中症のおそれがある人の安全を確保することができる。
【０１０３】
警報システム１の熱中症計測部７が計測した熱中症に関する計測値が複数段階（例えば、四段階等）で所定値以上であると判断される場合には、警報システム１は、熱中症計測部７が計測した計測値が所定の値以上であることに関する情報を通信する態様を、熱中症計測部７が計測した熱中症に関する計測値の各段階に応じて変更可能に構成することもできる。
例えば、警報システム１は、熱中症計測部７が計測した熱中症に関する計測値が比較的危険度の高い状態であるときのみ、熱中症計測部７が計測した計測値が所定の値以上であることに関する情報を通信する。
【０１０４】
以上のように、熱中症計測部７が計測した熱中症に関する計測値が複数段階で所定値以上であると判断され、熱中症計測部７が計測した計測値が所定の値以上であることに関する情報を通信する態様を、熱中症計測部７が計測した熱中症に関する計測値の各段階に応じて変更可能に構成される、警報システム１では、熱中症計測部７が計測した熱中症に関する計測値の危険度に応じて、熱中症計測部７が計測した計測値が所定の値以上であることに関する情報を通信することができる。
したがって、警報システム１によれば、例えば、熱中症計測部７が比較的危険度の高い熱中症に関する値を計測したときのみ、熱中症計測部７が計測した熱中症に関する計測値が所定の値以上であることに関する情報を通信することによって、熱中症計測部７が計測した熱中症に関する計測値が所定の値以上であることに関する情報が頻繁に通信されることを防止し、頻繁に誤報として通信されることを防止することができる。
【０１０５】
警報システム１は、単数個または複数個の人検知部４と、単数個または複数個の警報器３と、単数個の熱中症計測部７と、を備える。
人検知部４と警報器３と熱中症計測部７とは、別体で構成され、それぞれ離れた位置に配置される。人検知部４と警報器３と熱中症計測部７とは、有線または無線等で互いに接続される。
このとき、熱中症計測部７は、人が頻繁に出入する場所や人が集まり易い場所や人が居続ける時間が比較的長い場所等に配置されることが望ましい。警報器３は、例えば、風呂場の入口、寝室、トイレ、廊下、階段、台所、または、居間等に配置される。
【０１０６】
図９に示すように、警報システム１は、単数個の人検知部４と、単数個の警報器３と、複数個の熱中症計測部７と、を備える構成とすることもできる。
このように、複数個の熱中症計測部７を備える警報システム１では、広い範囲に熱中症計測部７を配置して、広い範囲において熱中症計測部７による熱中症に関する値の計測を行うことができる。
このとき、人検知部４または警報器３は、複数個の熱中症計測部７のうち一個の熱中症計測部７と一体的に構成することもできる。
【０１０７】
図１０に示すように、警報システム１は、複数個の人検知部４と、単数個の警報器３と、複数個の熱中症計測部７と、を備える構成とすることもできる。
このように、複数個の人検知部４と複数個の熱中症計測部７とを備える警報システム１では、広い範囲に人検知部４を配置して、広い範囲において人検知部４が人を検知したか否かの判断を行うことができ、また、広い範囲に熱中症計測部７を配置して、広い範囲において熱中症計測部７による熱中症に関する値の計測を行うことができる。
このとき、警報器３は、複数個の人検知部４のうち一個の人検知部４または複数個の熱中症計測部７のうち一個の熱中症計測部７と一体的に構成することもできる。
【０１０８】
図１１に示すように、警報システム１は、単数個の人検知部４と、複数個の警報器３と、複数個の熱中症計測部７と、を備える構成とすることもできる。
このように、複数個の警報器３と複数個の熱中症計測部７とを備える警報システム１では、広い範囲に警報器３を配置して、広い範囲において警報器３による警報を行うことができ、また、広い範囲に熱中症計測部７を配置して、広い範囲において熱中症計測部７による熱中症に関する値の計測を行うことができる。
このとき、人検知部４は、複数個の警報器３のうち一個の警報器３とまたは複数個の熱中症計測部７のうち一個の熱中症計測部７と一体的に構成することもできる。またこのとき、制御部２は、人検知部４と一体的に構成することもできる。
【０１０９】
図１２に示すように、警報システム１は、複数個の人検知部４と、複数個の警報器３と、複数個の熱中症計測部７と、を備える構成とすることもできる。
このように、複数個の人検知部４と複数個の警報器３と複数個の熱中症計測部７とを備える警報システム１では、広い範囲に人検知部４を配置して、広い範囲において人検知部４が人を検知したか否かの判断を行うことができ、広い範囲に警報器３を配置して、広い範囲において警報器３による警報を行うことができ、また、広い範囲に熱中症計測部７を配置して、広い範囲において熱中症計測部７による熱中症に関する値の計測を行うことができる。
このとき、警報システム１は単数個の制御部２を備え、制御部２は、人検知部４、警報器３、および、熱中症計測部７と別体として構成されるが、人検知部４または警報器３と一体的に構成することもできる。
またこのとき、複数個の人検知部４と複数個の警報器３と複数個の熱中症計測部７とをそれぞれ一体的に構成することもできる（図１３参照）。
このように、複数個の人検知部４と複数個の警報器３と複数個の熱中症計測部７とが一体的に構成される、警報システム１では、複数個の人検知部４と複数個の警報器３と複数個の熱中症計測部７とを備えるものであっても、警報システム１をコンパクトに構成することができる。
またこのとき、制御部２は、人検知部４および警報器３と別体に構成することもできる。
【０１１０】
複数個の警報器３を備える警報システム１では、複数個の警報器３のうち少なくとも単数個の警報器３が外部環境の変化を検知したとき、人検知部４が人を検知してから所定時間以内にさらに人を検知しなかったとき、または、熱中症計測部７が計測した計測値が所定の値以上であるに全ての警報器３が警報する。
【０１１１】
複数個の警報器３を備える警報システム１では、複数個の警報器３は、少なくともそのうち一部の警報器３について、人検知部４が検知した人の位置に応じて、熱中症計測部７が計測した計測値が所定の値以上のときに警報する態様を変更可能に構成することもできる。人検知部４が検知した人の位置に応じて、警報器３の警報に人が気付きやすいような態様に、複数個の警報器３のうち一部の警報器３について熱中症計測部７が計測した計測値が所定の値以上のときに警報する態様が変更される。
ステップＳ３において制御部２が変更する警報システム１の設定として、人検知部４が検知した人の位置に応じて、複数個の警報器３のうち一部の警報器３について、熱中症計測部７が計測した計測値が所定の値以上のときに警報器３が警報する態様を変更する設定を制御部２が行う。
【０１１２】
以上のように、複数個の警報器３は、少なくともそのうち一部の警報器３について、人検知部４が検知した人の位置に応じて、熱中症計測部７が計測した計測値が所定の値以上のときに警報する態様を変更可能に構成される、警報システム１では、例えば、警報器３から比較的遠い位置にいる人が警報器３の警報に気付きやすいように、人検知部４が検知した人の位置に応じて、複数個の警報器３のうち一部の警報器３について熱中症計測部７が計測した計測値が所定の値以上のときに警報する態様を変更することができる。
したがって、警報システム１によれば、熱中症計測部７が計測した計測値が所定の値以上であることをより確実に知らせることができ、熱中症のおそれがある人の安全を確保することができる。
【０１１３】
複数個の警報器３を備える警報システム１では、複数個の警報器３は、少なくともそのうち一部の警報器３について、人検知部４が検知した人の位置に応じて、熱中症計測部７が計測した計測値が所定の値以上のときに警報するタイミングを変更可能に構成することもできる。人検知部４が検知した人の位置に応じて、警報器３の警報に人が気付きやすいような態様に、複数個の警報器３のうち一部の警報器３について熱中症計測部７が計測した計測値が所定の値以上のときに警報するタイミングが変更される。
ステップＳ３において制御部２が変更する警報システム１の設定として、人検知部４が検知した人の位置に応じて、複数個の警報器３のうち一部の警報器３について、熱中症計測部７が計測した計測値が所定の値以上のときに警報器３が警報するタイミングを変更する設定を制御部２が行う。
【０１１４】
以上のように、複数個の警報器３は、少なくともそのうち一部の警報器３について、人検知部４が検知した人の位置に応じて、熱中症計測部７が計測した計測値が所定の値以上のときに警報するタイミングを変更可能に構成される、警報システム１では、例えば、警報器３から比較的遠い位置にいる人が警報器３の警報に気付きやすいように、人検知部４が検知した人の位置に応じて、複数個の警報器３のうち一部の警報器３について熱中症計測部７が計測した計測値が所定の値以上のときに警報するタイミングを変更することができる。
したがって、警報システム１によれば、熱中症計測部７が計測した計測値が所定の値以上であることをより確実に知らせることができ、熱中症のおそれがある人の安全を確保することができる。
【０１１５】
複数個の警報器３を備える警報システム１では、複数個の警報器３は、少なくともそのうち一部の警報器３について、熱中症計測部７が計測した熱中症に関する計測値に応じて、外部環境の変化を警報する態様を変更可能に構成することもできる。熱中症計測部７が計測した熱中症に関する計測値に応じて、警報器３の警報に人が気付きやすいような態様に、複数個の警報器３のうち一部の警報器３について外部環境の変化を警報する態様が変更される。
ステップＳ３において制御部２が変更する警報システム１の設定として、熱中症計測部７が計測した熱中症に関する計測値に応じて、複数個の警報器３のうち少なくとも一部の警報器３について外部環境の変化を警報する態様を変更する設定を制御部２が行う。
例えば、制御部２は、比較的高い熱中症に関する値を計測した熱中症計測部７の位置から比較的遠い位置の警報器３については、熱中症計測部７の位置から比較的遠い位置の警報器３については、熱中症計測部７の位置から近い場合と比較して、警報音の音量を比較的大きく変更する設定、または、警報音を人が比較的聞取り易い音声に変更する設定等を行う。
また例えば、警報器３が間歇的に警報音を発するように構成されるとき、制御部２は、比較的高い熱中症に関する値を計測した熱中症計測部７の位置から比較的遠い位置の警報器３については、熱中症計測部７の位置から近い場合と比較して、警報器３が警報する警報音の間隔を比較的短い間隔に変更する設定を行う。
また例えば、制御部２は、所定の値を超えた熱中症に関する値を計測した熱中症計測部７の位置から比較的遠い位置から最も近い警報器３のみが警報するように、所定の値を超えた熱中症に関する値を計測した熱中症計測部７の位置に応じて警報器３が警報しない設定を行う。
なお、複数個の熱中症計測部７を備える場合においても同様に、複数個の警報器３は、少なくともそのうち一部の警報器３について、各熱中症計測部７が計測した熱中症に関する計測値に応じて、警報する態様を変更可能に構成される。
【０１１６】
以上のように、複数個の警報器３は、少なくともそのうち一部の警報器３について、熱中症計測部７が計測した熱中症に関する計測値に応じて外部環境の変化を警報する態様を変更可能に構成される、警報システム１では、例えば、熱中症計測部７が計測した熱中症に関する計測値が比較的高いものである場合に、人が警報器３の警報に気付きやすいように、熱中症計測部７が計測した熱中症に関する計測値に応じて、複数個の警報器３のうち一部の警報器３について外部環境の変化を警報する態様を変更することができる。
したがって、警報システム１によれば、外部環境の変化をより確実に知らせることができ、熱中症のおそれがある人の安全を確保することができる。
【０１１７】
複数個の警報器３を備える警報システム１では、複数個の警報器３は、少なくともそのうち一部の警報器３について、熱中症計測部７が計測した熱中症に関する計測値に応じて、外部環境の変化を警報するタイミングを変更可能に構成することもできる。熱中症計測部７が計測した熱中症に関する計測値に応じて、警報器３の警報に人が気付きやすいような態様に、複数個の警報器３のうち一部の警報器３について外部環境の変化を警報するタイミングが変更される。
ステップＳ３において制御部２が変更する警報システム１の設定として、熱中症計測部７が計測した熱中症に関する計測値に応じて、複数個の警報器３のうち一部の警報器３について外部環境の変化を警報するタイミングを変更する設定を制御部２が行う。
例えば、制御部２は、比較的高い熱中症に関する値を計測した熱中症計測部７の位置から比較的遠い位置の警報器３については、熱中症計測部７の位置から比較的近い位置と比較して、警報するタイミングを比較的早く変更する設定を行う。
また例えば、制御部２は、所定の値を超えた熱中症に関する値を計測した熱中症計測部７に比較的近い位置から遠い位置の順に、警報器３が警報する設定等を行う。
なお、複数個の熱中症計測部７を備える場合においても同様に、複数個の警報器３は、少なくともそのうち一部の警報器３について、各熱中症計測部７が計測した熱中症に関する計測値に応じて、警報するタイミングを変更可能に構成される。
【０１１８】
以上のように、複数個の警報器３は、少なくともそのうち一部の警報器３について、熱中症計測部７が計測した熱中症に関する計測値に応じて、外部環境の変化を警報するタイミングを変更可能に構成される、警報システム１では、例えば、熱中症計測部７が計測した熱中症に関する計測値が比較的高いものである場合に、人が警報器３の警報に気付きやすいように、熱中症計測部７が計測した熱中症に関する計測値に応じて、複数個の警報器３のうち一部の警報器３について外部環境の変化を警報するタイミングを変更することができる。
したがって、警報システム１によれば、外部環境の変化をより確実に知らせることができ、熱中症のおそれがある人の安全を確保することができる。
【０１１９】
複数個の警報器３を備える警報システム１では、複数個の警報器３は、少なくともそのうち一部の警報器３について、熱中症計測部７が計測した熱中症に関する計測値に応じて、人検知部４が人を検知してから所定時間以内にさらに人を検知しなかったときに警報する態様を変更可能に構成することもできる。熱中症計測部７が計測した熱中症に関する計測値に応じて、警報器３の警報に人が気付きやすいような態様に、複数個の警報器３のうち一部の警報器３について人検知部４が人を検知してから所定時間以内にさらに人を検知しなかったときに警報する態様が変更される。
ステップＳ３において制御部２が変更する警報システム１の設定として、熱中症計測部７が計測した熱中症に関する計測値に応じて、複数個の警報器３のうち一部の警報器３について、人検知部４が人を検知してから所定時間以内にさらに人を検知しなかったときに警報器３が警報する態様を変更する設定を制御部２が行う。
【０１２０】
以上のように、複数個の警報器３は、少なくともそのうち一部の警報器３について、熱中症計測部７が計測した熱中症に関する計測値に応じて、人検知部４が人を検知してから所定時間以内にさらに人を検知しなかったときに警報する態様を変更可能に構成される、警報システム１では、例えば、熱中症計測部７が計測した熱中症に関する計測値が比較的高いものである場合に、人が警報器３の警報に気付きやすいように、熱中症計測部７が計測した熱中症に関する計測値に応じて、複数個の警報器３のうち一部の警報器３について人検知部４が人を検知してから所定時間以内にさらに人を検知しなかったときに警報する態様を変更することができる。
したがって、警報システム１によれば、人検知部４が人を検知してから所定時間以内にさらに人を検知しなかったことをより確実に知らせることができ、熱中症のおそれがある人の安全を確保することができる。
【０１２１】
複数個の警報器３を備える警報システム１では、複数個の警報器３は、少なくともそのうち一部の警報器３について、熱中症計測部７が計測した熱中症に関する計測値に応じて、人検知部４が人を検知してから所定時間以内にさらに人を検知しなかったときに警報するタイミングを変更可能に構成することもできる。熱中症計測部７が計測した熱中症に関する計測値に応じて、警報器３の警報に人が気付きやすいような態様に、複数個の警報器３のうち一部の警報器３について人検知部４が人を検知してから所定時間以内にさらに人を検知しなかったときに警報するタイミングが変更される。
ステップＳ３において制御部２が変更する警報システム１の設定として、熱中症計測部７が計測した熱中症に関する計測値に応じて、複数個の警報器３のうち一部の警報器３について、人検知部４が人を検知してから所定時間以内にさらに人を検知しなかったときに警報器３が警報するタイミングを変更する設定を制御部２が行う。
【０１２２】
以上のように、複数個の警報器３は、少なくともそのうち一部の警報器３について、熱中症計測部７が計測した熱中症に関する計測値に応じて、人検知部４が人を検知してから所定時間以内にさらに人を検知しなかったときに警報するタイミングを変更可能に構成される、警報システム１では、例えば、熱中症計測部７が計測した熱中症に関する計測値が比較的高いものである場合に、人が警報器３の警報に気付きやすいように、熱中症計測部７が計測した熱中症に関する計測値に応じて、複数個の警報器３のうち一部の警報器３について人検知部４が人を検知してから所定時間以内にさらに人を検知しなかったときに警報するタイミングを変更することができる。
したがって、警報システム１によれば、人検知部４が人を検知してから所定時間以内にさらに人を検知しなかったことをより確実に知らせることができ、熱中症のおそれがある人の安全を確保することができる。
【０１２３】
複数個の警報器３を備える警報システム１では、複数個の警報器３は、少なくともそのうち一部の警報器３について、熱中症計測部７が計測した熱中症に関する計測値に応じて、熱中症計測部７が計測した計測値が所定の値以上のときに警報する態様を変更可能に構成することもできる。熱中症計測部７が計測した熱中症に関する計測値に応じて、警報器３の警報に人が気付きやすいような態様に、複数個の警報器３のうち一部の警報器３について熱中症計測部７が計測した計測値が所定の値以上のときに警報する態様が変更される。
ステップＳ３において制御部２が変更する警報システム１の設定として、熱中症計測部７が計測した熱中症に関する計測値に応じて、複数個の警報器３のうち一部の警報器３について、熱中症計測部７が計測した計測値が所定の値以上のときに警報器３が警報する態様を変更する設定を制御部２が行う。
【０１２４】
以上のように、複数個の警報器３は、少なくともそのうち一部の警報器３について、熱中症計測部７が計測した熱中症に関する計測値に応じて、熱中症計測部７が計測した計測値が所定の値以上のときに警報する態様を変更可能に構成される、警報システム１では、例えば、熱中症計測部７が計測した熱中症に関する計測値が比較的高いものである場合に、人が警報器３の警報に気付きやすいように、熱中症計測部７が計測した熱中症に関する計測値に応じて、複数個の警報器３のうち一部の警報器３について熱中症計測部７が計測した計測値が所定の値以上のときに警報する態様を変更することができる。
したがって、警報システム１によれば、熱中症計測部７が計測した計測値が所定の値以上であることをより確実に知らせることができ、熱中症のおそれがある人の安全を確保することができる。
【０１２５】
複数個の警報器３を備える警報システム１では、複数個の警報器３は、少なくともそのうち一部の警報器３について、熱中症計測部７が計測した熱中症に関する計測値に応じて、熱中症計測部７が計測した計測値が所定の値以上のときに警報するタイミングを変更可能に構成することもできる。熱中症計測部７が計測した熱中症に関する計測値に応じて、警報器３の警報に人が気付きやすいような態様に、複数個の警報器３のうち一部の警報器３について熱中症計測部７が計測した計測値が所定の値以上のときに警報するタイミングが変更される。
ステップＳ３において制御部２が変更する警報システム１の設定として、熱中症計測部７が計測した熱中症に関する計測値に応じて、複数個の警報器３のうち一部の警報器３について、熱中症計測部７が計測した計測値が所定の値以上のときに警報器３が警報するタイミングを変更する設定を制御部２が行う。
【０１２６】
以上のように、複数個の警報器３は、少なくともそのうち一部の警報器３について、熱中症計測部７が計測した熱中症に関する計測値に応じて、熱中症計測部７が計測した計測値が所定の値以上のときに警報するタイミングを変更可能に構成される、警報システム１では、例えば、熱中症計測部７が計測した熱中症に関する計測値が比較的高いものである場合に、人が警報器３の警報に気付きやすいように、熱中症計測部７が計測した熱中症に関する計測値に応じて、複数個の警報器３のうち一部の警報器３について熱中症計測部７が計測した計測値が所定の値以上のときに警報するタイミングを変更することができる。
したがって、警報システム１によれば、熱中症計測部７が計測した計測値が所定の値以上であることをより確実に知らせることができ、熱中症のおそれがある人の安全を確保することができる。
【０１２７】
なお、警報システム１の警報器３は、人検知部４が人を検知してから所定時間以内にさらに人を検知しなかったときでも警報しない構成、または、熱中症計測部７が計測した計測値が所定の値以上のときでも警報しない構成、とすることもできる。
【符号の説明】
【０１２８】
１    警報システム
２    制御部
３    警報器
４    人検知部
５    センサ部
６    警報部
７    熱中症計測部
【図１】
0006593857.tif 000002
【図２】
0006593857.tif 000003
【図３】
0006593857.tif 000004
【図４】
0006593857.tif 000005
【図５】
0006593857.tif 000006
【図６】
0006593857.tif 000007
【図７】
0006593857.tif 000008
【図８】
0006593857.tif 000009
【図９】
0006593857.tif 000010
【図１０】
0006593857.tif 000011
【図１１】
0006593857.tif 000012
【図１２】
0006593857.tif 000013
【図１３】
0006593857.tif 000014